(57)【特許請求の範囲】
【請求項１】
共通線方式に従う共通線呼制御信号を授受する第１の呼制御信号線を終端する第１のインタフェース部と、ＳＩＰメッセージを授受する第２の呼制御信号線を終端する第２のインタフェース部と、到来した共通線呼制御信号をＳＩＰメッセージに変換して転送させる第１の呼制御信号変換部と、到来したＳＩＰメッセージを共通線呼制御信号に変換して転送させる第２の呼制御信号変換部とを有する交換装置において、
共通線呼制御信号ごとにおける複数のルーチングラベルと、その共通線呼制御信号ごとにおける発端末の端末種別情報を含む固定長領域、可変長領域およびオプション領域のいずれかの箇所の情報とを対応付けている第１の記憶部と、
共通線呼制御信号ごとにおける発端末の端末種別情報の表記と、ＳＩＰメッセージにおける発端末の端末種別情報の表記とを対応付けている第２の記憶部とを備え、
上記第１の呼制御信号変換部は、到来した共通線呼制御信号のルーチングラベルを元に上記第１の記憶部をアクセスして箇所情報を得、到来した共通線呼制御信号の該当箇所から発端末の端末種別情報を得た後、上記第２の記憶部をアクセスしてＳＩＰメッセージにおける発端末の端末種別情報の表記を得、その表記をＳＩＰメッセージの所定箇所に挿入し、
上記第２の呼制御信号変換部は、到来したＳＩＰメッセージにおける宛先端末の情報に基づいて、共通線呼制御信号に挿入するルーチングラベルを定め、このルーチングラベルを元に上記第１の記憶部をアクセスして箇所情報を得、共通線呼制御信号の該当箇所に、到来したＳＩＰメッセージの発端末の端末種別情報の表記で上記第２の記憶部をアクセスして得た共通線呼制御信号における発端末の端末種別情報の表記を挿入する
ことを特徴とする交換装置。
【請求項２】
当該交換装置がＩＰ−ＰＢＸであることを特徴とする請求項１に記載の交換装置。
【請求項３】
共通線方式に従う共通線呼制御信号を授受する第１の呼制御信号線を終端する第１のインタフェース部と、ＳＩＰメッセージを授受する第２の呼制御信号線を終端する第２のインタフェース部とを有する交換装置に搭載されたコンピュータを、
共通線呼制御信号ごとにおける複数のルーチングラベルと、その共通線呼制御信号ごとにおける発端末の端末種別情報を含む固定長領域、可変長領域およびオプション領域のいずれかの箇所の情報とを対応付けている第１の記憶部と、
共通線呼制御信号ごとにおける発端末の端末種別情報の表記と、ＳＩＰメッセージにおける発端末の端末種別情報の表記とを対応付けている第２の記憶部と、
到来した共通線呼制御信号をＳＩＰメッセージに変換して転送させるものであって、到来した共通線呼制御信号のルーチングラベルを元に上記第１の記憶部をアクセスして箇所情報を得、到来した共通線呼制御信号の該当箇所から発端末の端末種別情報を得た後、上記第２の記憶部をアクセスしてＳＩＰメッセージにおける発端末の端末種別情報の表記を得、その表記をＳＩＰメッセージの所定箇所に挿入する第１の呼制御信号変換部と、
到来したＳＩＰメッセージを共通線呼制御信号に変換して転送させるものであって、到来したＳＩＰメッセージにおける宛先端末の情報に基づいて、共通線呼制御信号に挿入するルーチングラベルを定め、このルーチングラベルを元に上記第１の記憶部をアクセスして箇所情報を得、共通線呼制御信号の該当箇所に、到来したＳＩＰメッセージの発端末の端末種別情報の表記で上記第２の記憶部をアクセスして得た共通線呼制御信号における発端末の端末種別情報の表記を挿入する第２の呼制御信号変換部と
して機能させることを特徴とする呼制御信号変換プログラム。
【発明の詳細な説明】
【技術分野】
【０００１】
本発明は交換装置及び呼制御信号変換プログラムに関し、例えば、ＶｏＩＰ（Ｖｏｉｃｅ  ｏｖｅｒ  ＩＰ（Ｉｎｔｅｒｎｅｔ  Ｐｒｏｔｏｃｏｌ））回線とＮｏ．７共通線を収容可能なＩＰ−ＰＢＸ（構内交換機；Ｐｒｉｖａｔｅ  Ｂｒａｎｃｈ  Ｅｘｃｈａｎｇｅ）に適用し得るものである。
【背景技術】
【０００２】
例えば、企業ネットワークでは拠点毎にＩＰ−ＰＢＸを配置し、外線端末−内線端末間の通話や内線端末間の呼に、複数のＩＰ−ＰＢＸが介在することもある。ここで、ＩＰ−ＰＢＸ間の呼制御信号（シグナリング信号）の授受に、Ｎｏ．７共通線を適用することも可能であれば、専用線となっているＶｏＩＰ回線（以下、ＳＩＰ（Ｓｅｓｓｉｏｎ  Ｉｎｉｔｉａｔｉｏｎ  Ｐｒｏｔｏｃｏｌ）専用線と呼ぶ）を適用することも可能である。
【０００３】
図９は、複数のＩＰ−ＰＢＸ間を、Ｎｏ．７共通線を介してタンデム接続した場合を示している。ＩＰ−ＰＢＸ３−１がＮｏ．７共通線４−１を介してＩＰ−ＰＢＸ３−２に接続され、ＩＰ−ＰＢＸ３−２がＮｏ．７共通線４−２を介してＩＰ−ＰＢＸ３−３に接続されているとする。ＩＳＤＮ端末１−１の発呼信号が電話網２を介してＩＰ−ＰＢＸ３−１に到達すると、ＩＰ−ＰＢＸ３−１は、ＩＳＤＮ端末１−１の電話番号「０１２３４５６７８９」を発番号用の所定位置に含むと共に、「ＩＳＤＮ局線」を端末種別用の所定位置に含むＩＡＭ（Ｉｎｉｔｉａｌ  Ａｄｄｒｅｓｓ  Ｍｅｓｓａｇｅ）信号をＮｏ．７共通線４−１を介してＩＰ−ＰＢＸ３−２に送出する（非特許文献１参照）。ＩＰ−ＰＢＸ３−２は、Ｎｏ．７共通線４−２を介してＩＰ−ＰＢＸ３−３に上述と同様なＩＡＭ信号を送出する。ＩＰ−ＰＢＸ３−３は、端末種別が「ＩＳＤＮ局線」であるので、宛先端末１−２に発番号を含めてＩＳＤＮ局線から着信を通知し、宛先端末１−２はＩＳＤＮ局線からの着信であるので、外線着信処理を行うと共に、発番号の表示モードが選択されている場合には発番号を表示する。以上のように、中継段のＩＰ−ＰＢＸ３−２は、ＩＰ−ＰＢＸ３−１から受信した端末種別をそのままＩＰ−ＰＢＸ３−３側に送信することができる。なお、ＩＡＭ信号における端末種別を盛り込む位置や盛り込むコードは、非特許文献１などで定められているものではなく、ＩＰ−ＰＢＸの製造メーカなどが独自に定めるものである。
【０００４】
上述のような同一の端末種別の伝送は、ＩＰ−ＰＢＸ３−１がＳＩＰ専用線を介してＩＰ−ＰＢＸ３−２に接続され、ＩＰ−ＰＢＸ３−２がＳＩＰ専用線を介してＩＰ−ＰＢＸ３−３に接続されている場合にも行われる。
【先行技術文献】
【特許文献】
【０００５】
【特許文献１】特開２０１１−１０１１３０号公報
【非特許文献】
【０００６】
【非特許文献１】ＴＴＣ  ＪＴ−Ｑ７６３
【非特許文献２】ＩＥＴＦ  ＲＦＣ３２６１
【非特許文献３】ＩＥＴＦ  ＲＦＣ３３９８
【発明の概要】
【発明が解決しようとする課題】
【０００７】
しかしながら、従来のＩＰ−ＰＢＸの装置では、Ｎｏ．７共通線から転送されてきた端末種別をＳＩＰ専用線に転送することができず、また、ＳＩＰ専用線から転送されてきた端末種別をＮｏ．７共通線に転送することができず、この端末種別情報を用いたサービスが実現できないという課題があった。
【０００８】
図１０は、ＩＰ−ＰＢＸ３−１がＮｏ．７共通線４−１を介してＩＰ−ＰＢＸ３−２に接続され、ＩＰ−ＰＢＸ３−２がＳＩＰ専用線４−２ａを介してＩＰ−ＰＢＸ３−３に接続されている場合を示している。なお、ＳＩＰ専用線４−２ａはＩＰ網５を透過する専用線である。この場合も、ＩＳＤＮ端末１−１の発呼信号が電話網２を介してＩＰ−ＰＢＸ３−１に到達すると、ＩＰ−ＰＢＸ３−１は、ＩＳＤＮ端末１−１の電話番号「０１２３４５６７８９」を発番号用の所定位置に含むと共に、「ＩＳＤＮ局線」を端末種別用の所定位置に含むＩＡＭ信号をＮｏ．７共通線４−１を介してＩＰ−ＰＢＸ３−２に送出する。ＩＰ−ＰＢＸ３−２は、ＳＩＰ専用線４−２ａに転送するため、ＩＡＭ信号をＳＩＰメッセージ「ＩＮＶＩＴＥ」に変換し（非特許文献３、特許文献１参照）、ＳＩＰ専用線４−２ａを介してＩＰ−ＰＢＸ３−３に送出する。このＩＮＶＩＴＥメッセージ（非特許文献２）においては、発呼端末１−１の電話番号「０１２３４５６７８９」が発番号として含まれ、「専用線」が端末種別として含まれる。ＩＰ−ＰＢＸ３−３は、端末種別が「ＳＩＰ専用線」であるので、宛先端末１−２に発番号を含めてＳＩＰ専用線から着信を通知し、宛先端末１−２はＳＩＰ専用線からの着信処理を行うと共に、発番号の表示モードが選択されている場合には発番号を表示する。
【０００９】
以上のように、従来のＩＰ−ＰＢＸ（３−２）においては、Ｎｏ．７共通線から到来するＩＡＭ信号における端末種別を、ＳＩＰ専用線へ送り出すＳＩＰメッセージ「ＩＮＶＩＴＥ」の端末種別に正しく反映させることができなかった。また、ＳＩＰ専用線から到来するＳＩＰメッセージ「ＩＮＶＩＴＥ」の端末種別を、Ｎｏ．７共通線へ送り出すＩＡＭ信号の端末種別に正しく反映させることができなかった。
【００１０】
そのため、第１又は第２の呼制御信号線から到来した呼制御信号を中継して第２又は第１の呼制御信号線に送出する場合において、発端末の種別情報を正しく引き渡すことができる交換装置及び呼制御信号変換プログラムが望まれている。
【課題を解決するための手段】
【００１１】
第１の本発明は、共通線方式に従う共通線呼制御信号を授受する第１の呼制御信号線を終端する第１のインタフェース部と、ＳＩＰメッセージを授受する第２の呼制御信号線を終端する第２のインタフェース部と、到来した共通線呼制御信号をＳＩＰメッセージに変換して転送させる第１の呼制御信号変換部と、到来したＳＩＰメッセージを共通線呼制御信号に変換して転送させる第２の呼制御信号変換部とを有する交換装置において、（１）共通線呼制御信号ごとにおける複数のルーチングラベルと、その共通線呼制御信号ごとにおける発端末の端末種別情報を含む固定長領域、可変長領域およびオプション領域のいずれかの箇所の情報とを対応付けている第１の記憶部と、（２）共通線呼制御信号ごとにおける発端末の端末種別情報の表記と、ＳＩＰメッセージにおける発端末の端末種別情報の表記とを対応付けている第２の記憶部とを備え、（３）上記第１の呼制御信号変換部は、到来した共通線呼制御信号のルーチングラベルを元に上記第１の記憶部をアクセスして箇所情報を得、到来した共通線呼制御信号の該当箇所から発端末の端末種別情報を得た後、上記第２の記憶部をアクセスしてＳＩＰメッセージにおける発端末の端末種別情報の表記を得、その表記をＳＩＰメッセージの所定箇所に挿入し、（４）上記第２の呼制御信号変換部は、到来したＳＩＰメッセージにおける宛先端末の情報に基づいて、共通線呼制御信号に挿入するルーチングラベルを定め、このルーチングラベルを元に上記第１の記憶部をアクセスして箇所情報を得、共通線呼制御信号の該当箇所に、到来したＳＩＰメッセージの発端末の端末種別情報の表記で上記第２の記憶部をアクセスして得た共通線呼制御信号における発端末の端末種別情報の表記を挿入することを特徴とする。
【００１２】
第２の本発明の呼制御信号変換プログラムは、共通線方式に従う共通線呼制御信号を授受する第１の呼制御信号線を終端する第１のインタフェース部と、ＳＩＰメッセージを授受する第２の呼制御信号線を終端する第２のインタフェース部とを有する交換装置に搭載されたコンピュータを、（１）共通線呼制御信号ごとにおける複数のルーチングラベルと、その共通線呼制御信号ごとにおける発端末の端末種別情報を含む固定長領域、可変長領域およびオプション領域のいずれかの箇所の情報とを対応付けている第１の記憶部と、（２）共通線呼制御信号ごとにおける発端末の端末種別情報の表記と、ＳＩＰメッセージにおける発端末の端末種別情報の表記とを対応付けている第２の記憶部と、（３）到来した共通線呼制御信号をＳＩＰメッセージに変換して転送させるものであって、到来した共通線呼制御信号のルーチングラベルを元に上記第１の記憶部をアクセスして箇所情報を得、到来した共通線呼制御信号の該当箇所から発端末の端末種別情報を得た後、上記第２の記憶部をアクセスしてＳＩＰメッセージにおける発端末の端末種別情報の表記を得、その表記をＳＩＰメッセージの所定箇所に挿入する第１の呼制御信号変換部と、（４）到来したＳＩＰメッセージを共通線呼制御信号に変換して転送させるものであって、到来したＳＩＰメッセージにおける宛先端末の情報に基づいて、共通線呼制御信号に挿入するルーチングラベルを定め、このルーチングラベルを元に上記第１の記憶部をアクセスして箇所情報を得、共通線呼制御信号の該当箇所に、到来したＳＩＰメッセージの発端末の端末種別情報の表記で上記第２の記憶部をアクセスして得た共通線呼制御信号における発端末の端末種別情報の表記を挿入する第２の呼制御信号変換部として機能させることを特徴とする。
【発明の効果】
【００１３】
本発明によれば、第１又は第２の呼制御信号線から到来した呼制御信号を中継して第２又は第１の呼制御信号線に送出する場合において、発端末の種別情報を正しく引き渡すことができるようになる。
【図面の簡単な説明】
【００１４】
【図１】実施形態に係るＩＰ−ＰＢＸの機能的な内部構成を示すブロック図である。
【図２】実施形態に係るＩＰ−ＰＢＸが中継段として機能する交換システムの構成を示すブロック図である。
【図３】実施形態のＩＰ−ＰＢＸにおけるＩＡＭ信号からＩＮＶＩＴＥメッセージへの変換動作の概要を示すフローチャートである。
【図４】ＩＳＤＮユーザ部の構成を示す説明図である。
【図５】実施形態のＩＰ−ＰＢＸにおけるルーチングラベル／条件テーブルの構成例を示す説明図である。
【図６】実施形態のＩＰ−ＰＢＸにおける条件／読取箇所テーブルの構成例を示す説明図である。
【図７】実施形態のＩＰ−ＰＢＸにおける読取情報／ｔｙｐｅテーブルの構成例を示す説明図である。
【図８】実施形態のＩＰ−ＰＢＸがＮｏ．７共通線からＳＩＰ専用線へインターワークを行った場合のシーケンス図である。
【図９】複数の従来のＩＰ−ＰＢＸ間をＮｏ．７共通線を介してタンデム接続した場合を示すブロック図である。
【図１０】従来の課題の説明図である。
【発明を実施するための形態】
【００１５】
（Ａ）主たる実施形態
以下、本発明による交換装置及び呼制御信号変換プログラムの一実施形態を、図面を参照しながら説明する。実施形態に係る交換装置はＩＰ−ＰＢＸである。
【００１６】
（Ａ−１）実施形態の構成
図１は、実施形態に係るＩＰ−ＰＢＸ１０の機能的な内部構成を示すブロック図である。図１は、主として呼制御信号の処理面から内部構成を示している（メディア信号の処理構成の大半は図示を省略している）。ＩＰ−ＰＢＸ１０は、ＣＰＵが所定のプログラムを実行することで実現する機能もあるが、その場合でも、機能的には図１で表すことができる。
【００１７】
ＩＰ−ＰＢＸ１０は、インタフェース部１１、ポート部１２、呼制御部１３及び記憶部１４を有する。
【００１８】
インタフェース部１１は、詳述は避けるが、ＩＳＤＮ網を終端するインタフェース部、アナログ通信網を終端するインタフェース部、通信端末を終端するインタフェース部などを有する。後述するＮｏ．７共通線は、このインタフェース部１１によって終端されている。
【００１９】
ポート部１２は、ＩＰ網を終端するものである。後述するＳＩＰ専用線は、このポート部１２によって終端されている。
【００２０】
呼制御部１３は、呼制御を実行するものである。呼制御部１３は、このＩＰ−ＰＢＸ１０が、他のＩＰ−ＰＢＸからの呼制御信号をさらに他のＩＰ−ＰＢＸへ転送する場合に必要となる呼制御信号の変換部１３Ａ（図３参照）を有している。呼制御信号変換部１３Ａは、ＩＡＭ信号をＩＮＶＩＴＥメッセージに変換したり、ＩＮＶＩＴＥメッセージをＩＡＭ信号に変換したりするものである。
【００２１】
記憶部１４は、呼制御部１３が処理を実行する際に参照する情報を格納しているものである。記憶部１４は、後述するルーチングラベル／条件テーブル１４Ａ、条件／読取箇所テーブル１４Ｂ、読取情報／ｔｙｐｅテーブル１４Ｃを記憶している。
【００２２】
（Ａ−２）実施形態の動作
次に、実施形態のＩＰ−ＰＢＸ１０の動作、特に、ＩＡＭ信号をＩＮＶＩＴＥメッセージに変換する動作を説明する。
【００２３】
図２に示すように、当該ＩＰ−ＰＢＸ１０が、Ｎｏ．７共通線２０（２０−１、２０−２、２０−３）を介して接続している前段のＩＰ−ＰＢＸ１０Ｂ１、１０Ｂ２、１０Ｂ３から、ＳＩＰ専用線２１を介して接続している後段のＩＰ−ＰＢＸ１０Ａへ呼制御信号を中継する場合に、ＩＡＭ信号をＩＮＶＩＴＥメッセージに変換する動作が必要となる。この実施形態は、ＩＡＭ信号をＩＮＶＩＴＥメッセージに変換しても、ＩＡＭ信号に含まれている端末種別の情報を、ＩＮＶＩＴＥメッセージに正しく挿入できるようにしたことを特徴としている。
【００２４】
図３は、実施形態のＩＰ−ＰＢＸ１０におけるＩＡＭ信号からＩＮＶＩＴＥメッセージへの変換動作の概要を示すフローチャートである。なお、当該ＩＰ−ＰＢＸ１０からの転送先をＩＰ−ＰＢＸ１０Ａにすることは、ルーチング処理の中で決定されるが、この決定処理には特徴はないので、その説明は省略する。また、呼制御信号の転送先と呼制御信号の授受方法（ＳＩＰ専用線を介することなど）との対応は、予めテーブルなどに記述されており、呼制御信号の転送先がＩＰ−ＰＢＸ１０Ａと決定されると、ＳＩＰ専用線２１を経由すると定められ、ＳＩＰメッセージの授受を行うことに定められる。図３は、このような転送先の決定処理などの記述は省略している。
【００２５】
呼制御信号変換部１３Ａは、Ｎｏ．７共通線２０からの呼制御信号を受信すると、図３に示す処理を開始し、まず、受信した呼制御信号がＩＡＭ信号であることを確認する（ステップＳ００１）。
【００２６】
ＩＡＭ信号は、ＩＳＵＰ（ＩＳＤＮ  ｕｓｅｒ  ｐａｒｔ；ＩＳＤＮユーザ部）で用いる信号のフォーマット及びコードで規定される信号の１つである。ＩＳＤＮユーザ部は、図４に示すように、ルーチングラベル、予備（４ビット）、回線番号、メッセージ種別、固定長必須部、可変長必須部及びオプション部を有する。メッセージ種別は、１オクテットからなり、全てのメッセージに必須である。メッセージ種別により、ＩＳＤＮユーザ部のメッセージの機能とフォ−マットが一義的に決まり、ＩＡＭ信号は、メッセージ種別が「０００００００１」である。受信した信号（ＩＳＤＮユーザ部）のメッセージ種別が「０００００００１」であることによりＩＡＭ信号であることを確認できる。
【００２７】
次に、呼制御信号変換部１３Ａは、受信したＩＡＭ信号のルーチングラベルに基づいて、独自情報抽出条件を判断する（ステップＳ００２）。図５は、ルーチングラベル／条件テーブル１４Ａの構成例を示す説明図である。図５は、ルーチングラベルが「Ａ」の場合には独自情報抽出条件ａを適用し、ルーチングラベルが「Ｂ」の場合には独自情報抽出条件ｂを適用し、ルーチングラベルが「Ｃ」の場合には独自情報抽出条件ｃを適用することを記述している。図５は、ルーチングラベルと独自情報抽出条件とが１対１に対応するように見えるが、１対１の関係には限定されず、複数のルーチングラベルが同一の独自情報抽出条件に対応するようになっていても良い。
【００２８】
ルーチングラベルは、個々の回線接続において、ある回線接続に対して転送されるメッセージに対するラベルであり、ある回線接続に対しては常に同一ルーチングラベルを用いることになる。個々の回線接続を規定するルーチングラベルは、見方を変えれば、ＩＡＭ信号を送出した前段のＩＰ−ＰＢＸがＩＰ−ＰＢＸ１０Ｂ１、ＩＰ−ＰＢＸ１０Ｂ２、ＩＰ−ＰＢＸ１０Ｂ３のいずれであるかを表すものとなっている。ＩＰ−ＰＢＸ１０Ｂ１、ＩＰ−ＰＢＸ１０Ｂ２又はＩＰ−ＰＢＸ１０Ｂ３（メーカや作成された時期の相違など）によって、独自情報が挿入されている位置や独自情報を表すコードなどが異なっている。ＩＡＭ信号を送出した前段のＩＰ−ＰＢＸを弁別するため、予めルーチングラベル／条件テーブル１４Ａを用意し、ＩＰ−ＰＢＸ１０Ｂ１、ＩＰ−ＰＢＸ１０Ｂ２又はＩＰ−ＰＢＸ１０Ｂ３と１対１で対応する独自情報抽出条件ａ、ｂ又はｃを得ることとした。
【００２９】
ここで、独自情報として、又は、独自情報の一項目として、端末種別の情報がＩＡＭ信号内に規定されている。
【００３０】
次に、呼制御信号変換部１３Ａは、受信したＩＡＭ信号に係る独自情報抽出条件ａ、ｂ又はｃをキーとして、条件／読取箇所テーブル１４Ｂをアクセスして、独自情報の抽出箇所（読取箇所）を得て独自情報を読取る（ステップＳ００３〜Ｓ００５）。図６は、条件／読取箇所テーブル１４Ｂの構成例を示す説明図である。図６では、独自情報抽出条件ａの場合には固定長必須部から読取ることのようにラフに記載しているが、これは説明の便宜上であり、実際のテーブルでは、例えば、「固定長必須部のオクテッド送出順序９の位置から読取る」、「オプション部のパラメータ名ＰＲＡの欄で検索して読取る」、「所定位置の独自情報ポインタを読取り、ポインタが示す位置から独自情報の長さを取得し、その長さ分だけ情報を読取る」などのように、条件／読取箇所テーブル１４Ｂには具体的な読取方法が記述されている。なお、図６では、各独自情報抽出条件によって、読取り対象部が、固定長必須部、可変長必須部、オプション部と異なる場合を示しているが、例えば、異なる独自情報抽出条件が共にオプション部から読取るものであっても良い（但し、パラメータ名が異なっているなど、オプション部からの読取方法が異なることを要する）。
【００３１】
次に、呼制御信号変換部１３Ａは、読取情報／ｔｙｐｅテーブル１４Ｃを参照し、読取った独自情報を、ＩＮＶＩＴＥメッセージに挿入できる形式の端末種別情報に変換し、変換した端末種別情報を挿入したＩＮＶＩＴＥメッセージを生成し（ステップＳ００６）、図３に示す一連の処理を終了する。
【００３２】
図７は、読取情報／ｔｙｐｅテーブル１４Ｃの構成例を示す説明図である。図７では、読取情報「ＡＡＡ」は、端末種別が「内線」であってＩＮＶＩＴＥメッセージへの挿入情報が「ｔｙｐｅ１」であり、読取情報「ＢＢＢ」は、端末種別が「局線（外線）」であってＩＮＶＩＴＥメッセージへの挿入情報が「ｔｙｐｅ２」であり、読取情報「ＣＣＣ」は、端末種別が「専用線」であってＩＮＶＩＴＥメッセージへの挿入情報が「ｔｙｐｅ３」であることが記述されている。例えば、「ｔｙｐｅ１」となる読取情報が複数あっても良いことは勿論である。
【００３３】
ＩＮＶＩＴＥメッセージは、図示は省略するが、少なくともリクエスト、ヘッダ、空白、ボディの４つのフィールドから構成される。ＩＮＶＩＴＥメッセージを含め、ＳＩＰメッセージのヘッダでは、拡張ヘッダとして「Ｘ−」で始まるヘッダが認められている。この実施形態では、「Ｘ−Ｓｓｍａｔｅ：」の拡張ヘッダを用意し、その拡張ヘッダに、端末種別を表す「ｔｙｐｅ１」、「ｔｙｐｅ２」又は「ｔｙｐｅ３」を格納する。
【００３４】
仮に、前段のＩＰ−ＰＢＸ１０Ｂ１からのＩＡＭ信号に対して独自情報抽出条件ａが対応するものであれば、呼制御信号変換部１３Ａは、図３のステップＳ００１−Ｓ００２−Ｓ００３−Ｓ００６の流れで、端末種別を引き継いだＩＮＶＩＴＥメッセージを生成し、前段のＩＰ−ＰＢＸ１０Ｂ２からのＩＡＭ信号に対して独自情報抽出条件ｂが対応するものであれば、呼制御信号変換部１３Ａは、図３のステップＳ００１−Ｓ００２−Ｓ００４−Ｓ００６の流れで、端末種別を引き継いだＩＮＶＩＴＥメッセージを生成し、前段のＩＰ−ＰＢＸ１０Ｂ３からのＩＡＭ信号に対して独自情報抽出条件ｃが対応するものであれば、呼制御信号変換部１３Ａは、図３のステップＳ００１−Ｓ００２−Ｓ００５−Ｓ００６の流れで、端末種別を引き継いだＩＮＶＩＴＥメッセージを生成する。
【００３５】
図８は、Ｎｏ．７共通線からＳＩＰ専用線へインターワークを行った場合のシーケンスを示したものであり、前段がＩＰ−ＰＢＸ１０Ｂ１の場合を示している。
【００３６】
前段のＩＰ−ＰＢＸ１０Ｂ１に、ＩＳＤＮ局線着信があると（ステップＳ１０１）、Ｎｏ．７共通線２０への発信時に、ＩＡＭ信号の独自情報（例えば、ユーザ情報パラメータ）に端末種別を編集し（ステップＳ１０２）、ＩＰ−ＰＢＸ１０へ発呼する（ステップＳ１０３）。
【００３７】
ＩＰ−ＰＢＸ１０では、ＩＡＭ信号の独自情報に編集された端末種別をＩＮＶＩＴＥメッセージの拡張ヘッダに編集し（ステップＳ１０４）、着信先の内線端末を収容しているＩＰ−ＰＢＸ１０ＡにＳＩＰ専用線２１を介して送出する（ステップＳ１０５）。
【００３８】
着信先の内線端末３０−２を収容しているＩＰ−ＰＢＸ１０Ａでは、ＩＮＶＩＴＥメッセージの拡張ヘッダに編集されている端末種別に応じた着信処理を行う（ステップＳ１０６）。
【００３９】
以上では、呼制御信号を中継するＩＰ−ＰＢＸ１０が、ＩＡＭ信号をＩＮＶＩＴＥメッセージに変換する場合を示したが、以下では、変換元の呼制御信号がＩＮＶＩＴＥメッセージで変換後の呼制御信号がＩＡＭ信号の場合を簡単に説明する。図示は省略するが、図８のシーケンスに準じて説明することとし、構成要素についての符号として、図８に係るものを適用する。
【００４０】
前段のＩＰ−ＰＢＸ１０Ｂ１に局線着信があると、ＳＩＰ専用線２０への発信時に、ＩＮＶＩＴＥメッセージの拡張ヘッダに端末種別を編集し、ＩＰ−ＰＢＸ１０へ発呼する。
【００４１】
ＩＰ−ＰＢＸ１０は、ＩＮＶＩＴＥメッセージの宛先端末の情報から、ＩＡＭ信号のルーチングラベルに挿入する情報を得て、ルーチングラベル／条件テーブル（図５参照）をアクセスして独自情報抽出条件を取り出し、取り出した独自情報抽出条件をキーとして条件／読取箇所テーブル（図６参照）をアクセスして、端末種別の情報を盛り込むＩＡＭ信号の箇所を認識する。また、ＩＰ−ＰＢＸ１０は、ＩＮＶＩＴＥメッセージの拡張ヘッダに挿入されている端末種別の情報をキーとして、読取情報／ｔｙｐｅテーブル（図７参照）をアクセスし、ＩＡＭ信号における端末種別情報に係る独自情報を得、この独自情報を、先に得ていたＩＡＭ信号における箇所に盛り込む。以上のようにして独自情報（端末種別情報）が挿入されたＩＡＭ信号を、着信先の内線端末を収容しているＩＰ−ＰＢＸ１０ＡにＮｏ．７共通線２１を介して送出する。
【００４２】
着信先の内線端末を収容しているＩＰ−ＰＢＸ１０Ａでは、ＩＡＭ信号の独自情報に編集されている端末種別に応じた着信処理を行う。
【００４３】
（Ａ−３）実施形態の効果
上記実施形態によれば、Ｎｏ．７共通線経由のＳＩＰ専用線からの着信を端末種別毎の着信として認識することができ、また、ＳＩＰ専用線経由のＮｏ．７共通線からの着信を端末種別毎の着信として認識することができ、端末種別毎の着信認識機能を利用したサービスを拡張することにより、利便性を向上させることができる。
【００４４】
（Ｂ）他の実施形態
上記実施形態においては、交換装置がＩＰ−ＰＢＸであるものを示したが、本発明はＩＰ−ＰＢＸに限定されるものではなく、呼制御信号のインタフェース部として、ＳＩＰメッセージを授受する呼制御信号線を終端するインタフェース部と、共通線方式に従う呼制御信号線を終端するインタフェース部とを有する交換装置であれば、本発明の技術思想を適用することができる。
【００４５】
上記実施形態では、ルーチングラベル／条件テーブル１４Ａ及び条件／読取箇所テーブル１４Ｂを有するものを示したが、ルーチングラベル／条件テーブル１４Ａ及び条件／読取箇所テーブル１４Ｂに代え、ルーチングラベル／条件テーブル１４Ａ及び条件／読取箇所テーブル１４Ｂを融合したテーブルを適用するようにしても良い。すなわち、ルーチングラベルと読取り箇所とを直接対応付けたテーブルを適用するようにしても良い。
【符号の説明】
【００４６】
１０、１０Ａ、１０Ｂ１〜１０Ｂ３…ＩＰ−ＰＢＸ、１１…インタフェース部、１２…ポート部、１３…呼制御部、１３Ａ…呼制御信号変換部、１４…記憶部、１４Ａ…ルーチングラベル／条件テーブル、１４Ｂ…条件／読取箇所テーブル、１４Ｃ…読取情報／ｔｙｐｅテーブル。
【図１】
0005886107.tif 000002
【図２】
0005886107.tif 000003
【図３】
0005886107.tif 000004
【図４】
0005886107.tif 000005
【図５】
0005886107.tif 000006
【図６】
0005886107.tif 000007
【図７】
0005886107.tif 000008
【図８】
0005886107.tif 000009
【図９】
0005886107.tif 000010
【図１０】
0005886107.tif 000011